(57)【要約】【課題】レンズ周辺の薄型化が可能な遮光羽根駆動装置を提供する。【解決手段】遮光羽根駆動装置１は、光路開口２Ａを有する地板２と、光路開口２Ａを開放又は遮蔽する遮光羽根３と、遮光羽根３を一軸方向に沿って直線的に摺動させる駆動手段４とを備え、遮光羽根３は、一軸方向に沿って延設された補強縁５Ａを有する駆動枠５上に固定され、駆動枠５は、補強縁５Ａに遮光羽根３が固定される面より下がった段差面５Ｄを一軸方向に沿って備え、地板２上に段差面５Ｄを摺動自在に押さえる押さえ部材６を設けた。【選択図】図２
2015125430.tif 000002
【特許請求の範囲】
【請求項１】
光路開口を有する地板と、前記光路開口を開放又は遮蔽する遮光羽根と、前記遮光羽根を一軸方向に沿って直線的に摺動させる駆動手段とを備え、
前記遮光羽根は、前記一軸方向に沿って延設された補強縁を有する駆動枠上に固定され、
前記駆動枠は、前記補強縁に前記遮光羽根が固定される面より下がった段差面を前記一軸方向に沿って備え、
前記地板上に、前記段差面を摺動自在に押さえる押さえ部材を設けたことを特徴とする遮光羽根駆動装置。
【請求項２】
前記補強縁は前記遮光羽根の外周縁に沿って延設されていることを特徴とする請求項１記載の遮光羽根駆動装置。
【請求項３】
光路開口を有する地板と、前記光路開口を開放又は遮蔽する遮光羽根と、前記遮光羽根を一軸方向に沿って直線的に摺動させる駆動手段とを備え、
前記遮光羽根は、前記一軸方向に沿って延設された補強縁を有し、
前記補強縁は、前記遮光羽根の表面より下がった段差面を前記一軸方向に沿って備え、
前記地板上に、前記段差面を摺動自在に押さえる押さえ部材を設けたことを特徴とする遮光羽根駆動装置。
【請求項４】
請求項１〜３のいずれか１項に記載された遮光羽根駆動装置を備えたカメラ。
【請求項５】
請求項１〜３のいずれか１項に記載された遮光羽根駆動装置を備えた電子機器。
【発明の詳細な説明】
【技術分野】
【０００１】
本発明は、カメラなどの絞りやシャッタやレンズバリアなどに用いられる遮光羽根駆動装置に関するものである。
【背景技術】
【０００２】
カメラのシャッタ羽根や絞り羽根やバリア羽根などの遮光羽根を駆動する遮光羽根駆動装置には、回転中心から半径方向に突出した腕部を有するロータを備えた電磁アクチュエータが用いられており、このロータを所定の角度範囲で往復回転駆動することで、腕部に連結した遮光羽根を摺動させて光路開口を開放又は遮蔽している。
【先行技術文献】
【特許文献】
【０００３】
【特許文献１】特開２００７−２９５７７１号公報
【発明の概要】
【発明が解決しようとする課題】
【０００４】
このような遮光羽根駆動装置における遮光羽根は、より小さな駆動力での摺動を可能にするために非常に薄い羽根部材を用いている。このため、薄い遮光羽根が湾曲したりばたついたりしないように、遮光羽根を摺動面に押さえ付ける押さえ部材が必要になる。この押さえ部材は、遮光羽根を押さえ付けることから遮光羽根の上に重ねて配置されており、従来の遮光羽根駆動装置は遮光羽根の上に押さえ部材を設けるための厚さ方向のスペースが必要になっている。このような従来の遮光羽根駆動装置は、レンズの前方に配備される遮光羽根駆動装置が遮光羽根の前方に押さえ部材を配置するスペースを必要とするため、レンズ周辺の薄型化の要求に対応できない問題があった。
【０００５】
本発明は、このような問題に対処することを課題の一例とするものである。すなわち、レンズ周辺の薄型化が可能な遮光羽根駆動装置を提供すること、などが本発明の目的である。
【課題を解決するための手段】
【０００６】
このような目的を達成するために、本発明による遮光羽根駆動装置は、明細書に記載された幾つかの発明のうち以下の構成を具備するものである。
【０００７】
光路開口を有する地板と、前記光路開口を開放又は遮蔽する遮光羽根と、前記遮光羽根を一軸方向に沿って直線的に摺動させる駆動手段とを備え、前記遮光羽根は、前記一軸方向に沿って延設された補強縁を有する駆動枠上に固定され、前記駆動枠は、前記補強縁に前記遮光羽根が固定される面より下がった段差面を前記一軸方向に沿って備え、前記地板上に、前記段差面を摺動自在に押さえる押さえ部材を設けたことを特徴とする遮光羽根駆動装置。
【図面の簡単な説明】
【０００８】
【図１】本発明の一実施形態に係る遮光羽根駆動装置を示した分解図である。
【図２】本発明の一実施形態に係る遮光羽根駆動装置の平面図である（（ａ）が光路開口を遮蔽した状態、（ｂ）が光路開口を開放した状態を示している。）。
【図３】図２のＡ−Ａ断面図である（（ａ）が光路開口を遮蔽した状態、（ｂ）が光路開口を開放した状態を示している。）。
【図４】本発明の一実施形態に係る遮光羽根駆動装置の内部構造を示した平面図である（（ａ）が光路開口を遮蔽した状態、（ｂ）が光路開口を開放した状態を示している。）。
【図５】本発明の他の実施形態に係る遮光羽根駆動装置を示した説明図である。（ａ）が平面図であり、（ｂ）が内部構造を示した平面図であり、（ｃ）が（ａ）のＢ−Ｂ断面図である。
【図６】本発明の実施形態に係る遮光羽根駆動装置を備えたカメラ、電子機器を示した説明図である。
【発明を実施するための形態】
【０００９】
以下、本発明の実施形態を図面を参照して説明する。なお、以下の図で、共通する部位には同一符号を付して重複説明を一部省略する。図１は、本発明の一実施形態に係る遮光羽根駆動装置を示した分解図である。遮光羽根駆動装置１は、地板２、遮光羽根３、駆動手段４を備えている。地板２は、遮光羽根駆動装置１のベースとなる部材であり、後方のレンズなどに光を取り込む光路開口２Ａを有している。遮光羽根３は、光路開口２Ａを開放又は遮蔽することでシャッタ羽根や絞り羽根として機能するものである。駆動手段４は遮光羽根３を光軸に対して垂直となる一軸方向に沿って直線的に摺動させるものであり、ロータ４０、ヨーク４３、コイル４５を基本構成とする電磁アクチュエータを備えている。
【００１０】
更に具体的な構成例を示すと、地板２は、光路開口２Ａの周囲に平面状の羽根支持面２Ｃを備えており、その左右にスライドガイド部２Ｂを備えている。スライドガイド部２Ｂは、遮光羽根３が一軸方向に沿って摺動するのをガイドすると共に摺動のスペースを確保するものである。また地板２は、駆動手段４を保持する駆動手段保持部２Ｄを備えており、その駆動手段保持部２Ｄの凹部内に回転中心軸２Ｅと位置決め軸２Ｆが立設されている。
【００１１】
遮光羽根３は、羽根開口３Ａを有し且つ光軸に対して垂直となる一軸方向に長い平面形状を有しており、光路開口２Ａ内に羽根開口３Ａが位置する状態で光路開口２Ａに光を通し、光路開口２Ａから羽根開口３Ａが外れる状態で光路開口２Ａを通る光を遮蔽する。この遮光羽根３の外周縁３Ｒは、光軸に対して垂直となる一軸方向の長辺３Ｒ１と左右の短辺３Ｒ２，３Ｒ３を有している。短辺３Ｒ２，３Ｒ３の近傍には固定孔３Ｐが形成されている。
【００１２】
駆動手段４のロータ４０は、周方向に異なる磁極を有する円柱状のマグネット４１と、このマグネット４１に固定されマグネット４１の径方向に突出する腕部４２を備えており、腕部４２の先端には連結ピン４２Ａが設けられている。ロータ４０は回転中心軸２Ｅに軸支され、この回転中心軸２Ｅ周りに回転自在になっているが、腕部４２の回転範囲は略扇型の駆動手段保持部２Ｄによって所定範囲に規制されている。
【００１３】
駆動手段４のヨーク４３は、第１磁極部４３Ａと第２磁極部４３Ｂを有する略Ｕ字状の磁性部材であり、駆動手段保持部２Ｄ内で位置決め軸２Ｆに位置決めされた状態でマグネット４１の周囲を第１磁極部４３Ａと第２磁極部４３Ｂが挟んで保持される。
【００１４】
駆動手段４のコイル４５は、ヨーク４３の第２磁極部４３Ｂの延長部分が貫通するコイルボビン４４のコイル保持部４４Ａに巻回されることで、第２磁極部４３Ｂの周りに巻回されている。コイルボビン４４は、コイル保持部４４Ａを備えると共に押さえ部４４Ｂと位置決め部４４Ｃを備えている。位置決め部４４Ｃには位置決め軸２Ｆが挿入される位置決め孔４４Ｃ１を備えている。
【００１５】
遮光羽根３は、駆動枠５上に固定されている。駆動枠５は、遮光羽根３の長辺３Ｒ１に沿って延設される補強縁５Ａと短辺３Ｒ２，３Ｒ３に沿って延設される補強縁５Ｂ，５Ｃとを備えると共に、連結部５Ｅを備えている。補強縁５Ａ，５Ｂ，５Ｃは、遮光羽根３の外周縁３Ｒを支持して補強することで、遮光羽根３の剛性を確保するものである。補強縁５Ｂ，５Ｃには固定孔５Ｐが設けられ、この固定孔５Ｐと遮光羽根３の固定孔３Ｐを合わせて図示省略した固定具を通して固定する。連結部５Ｅは連結孔５Ｅ１を備え、連結孔５Ｅ１には腕部４２の先端に設けた連結ピン４２Ａが係合している。
【００１６】
図２は遮光羽根駆動装置１の平面図であり、図３はそのＡ−Ａ断面図を示している（図２，図３において、（ａ）が光路開口を遮蔽した状態、（ｂ）が光路開口を開放した状態を示している。）。図２（ａ），（ｂ）に示すように、押さえ部材６が地板２上に配置されている。押さえ部材６は、開口６Ａを備えると共に長孔６Ｂを備えている。長孔６Ｂは連結ピン４２Ａと係合しており、腕部４２の揺動に伴う連結ピン４２Ａの移動を許容している。
【００１７】
図３（ａ），（ｂ）に示すように、駆動枠５は、補強縁５Ａの外側に遮光羽根３が固定される面より下がった段差面５Ｄを光軸に対して垂直となる一軸方向に沿って備えている。押さえ部材６は、遮光羽根３が固定された駆動枠５の段差面５Ｄを摺動自在に押さえている。ここで、駆動枠５に遮光羽根３を固定し、駆動枠５の遮光羽根３が固定される面より下がったところに段差面５Ｄを設けているので、押さえ部材６の高さを遮光羽根３の高さと同等にすることができる。これにより、遮光羽根３上を直接押さえ部材６で押さえる場合と比較して、遮光羽根３の上に突出する押さえ部材６の突出量を小さくすることができ、遮光羽根３上に大きな厚さ方向スペースを確保することが不要になる。
【００１８】
図４は、遮光羽根駆動装置１の内部構造を示している（（ａ）が光路開口を遮蔽した状態、（ｂ）が光路開口を開放した状態を示している。）。駆動手段４のコイル４５が無通電状態の場合は、マグネット４１のＮ極，Ｓ極と第１磁極部４３Ａ，第２磁極部４３Ｂとの吸着力によって腕部４２を図示左側（光路開口へ近づく方向側）に振り、図４（ａ）に示すように、遮光羽根３を図示左側（光路開口へ近づく方向側）に移動させて、遮光羽根３が光路開口２Ａを遮蔽する状態になる。これに対して、駆動手段４のコイル４５に通電すると、ヨーク４３の第１磁極部４３Ａと第２磁極部４３Ｂの一方がＳ極に着磁され他方がＮ極に着磁される。これによって、マグネット４１のＮ極，Ｓ極と第１磁極部４３Ａ，第２磁極部４３Ｂとの間に反発力が作用して腕部４２を図示右側（光路開口から遠ざかる方向側）に振り、図４（ｂ）に示すように、遮光羽根３を図示右側（光路開口から遠ざかる方向側）に移動させて、遮光羽根３の羽根開口３Ａが光路開口２Ａ内に位置する状態になる。
【００１９】
図５は、本発明の他の実施形態に係る遮光羽根駆動装置１（１Ａ）を示している。（ａ）が平面図であり、（ｂ）が内部構造を示した平面図であり、（ｃ）が（ａ）のＢ−Ｂ断面図である。前述した実施形態と同一部位は同一符号を付して重複説明を省略する。
【００２０】
この遮光羽根駆動装置１（１Ａ）では、遮光羽根３が駆動枠を介することなく直接腕部４２の連結ピン４２Ａに連結している。すなわち、遮光羽根３が連結部３Ｓを備えており、連結部３Ｓの連結孔３Ｓ１に連結ピン４２Ａが係合している。また、遮光羽根３が補強縁３Ｌを備えている。すなわち、遮光羽根３の縁部を折り曲げることで剛性を高めた補強縁３Ｌを光軸に対して垂直となる一軸方向に沿って延設している。そして、この補強縁３Ｌは、その外側に遮光羽根３の表面より下がった段差面３Ｍを光軸に対して垂直となる一軸方向に沿って備えており、押さえ部材６がこの段差面３Ｍを摺動自在に押さえている。このような構造によっても、押さえ部材６の高さを遮光羽根３の高さと同等にすることができる。これにより、遮光羽根３上を直接押さえ部材６で押さえる場合と比較して、遮光羽根３の上に突出する押さえ部材６の突出量を小さくすることができ、遮光羽根３上に大きな厚さ方向スペースを確保することが不要になる。
【００２１】
このような遮光羽根駆動装置１（１Ａ）によると、遮光羽根３の前方側のスペースを大きく確保する必要が無いので、遮光羽根駆動装置１（１Ａ）自体を薄型化することができる。そして、図６に示すような、遮光羽根駆動装置１（１Ａ）を備えたカメラ１００や電子機器２００（携帯電話，携帯情報端末，スマートフォン、タブレット端末、携帯ＰＣなど）は、レンズ周辺の薄型化が可能になることでカメラ１００の設置占有スペースを省スペース化することができ、内部スペースを有効に使うことができる。
【００２２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２３】
１：遮光羽根駆動装置，２：地板，２Ａ：光路開口，２Ｂ：スライドガイド部，
２Ｃ：羽根支持面，２Ｄ：駆動手段保持部，２Ｅ：回転中心軸，２Ｆ：位置決め軸，
３：遮光羽根，３Ａ：羽根開口，３Ｒ：外周縁，３Ｒ１：長辺，
３Ｒ２，３Ｒ３：短辺，３Ｓ：連結部，３Ｓ１：連結孔，３Ｌ：補強縁，
３Ｍ：段差面，３Ｐ：固定孔，
４：駆動手段，４０：ロータ，４１：マグネット，
４２：腕部，４２Ａ：連結ピン，
４３：ヨーク，４３Ａ：第１磁極部，４３Ｂ：第２磁極部，
４４：コイルボビン，４４Ａ：コイル保持部，４４Ｂ：押さえ部，
４４Ｃ：位置決め部，４４Ｃ１：位置決め孔，
４５：コイル，
５：駆動枠，５Ａ，５Ｂ，５Ｃ：補強縁，５Ｄ：段差面，５Ｅ：連結部，
５Ｅ１：連結孔，５Ｐ：固定孔，
６：押さえ部材，６Ａ：開口，６Ｂ：長孔，
１００：カメラ，２００：電子機器
【図１】
2015125430.tif 000003
【図２】
2015125430.tif 000004
【図３】
2015125430.tif 000005
【図４】
2015125430.tif 000006
【図５】
2015125430.tif 000007
【図６】
2015125430.tif 000008